(57)【要約】【課題】利用者に負担をかけることなく、端末装置の置き忘れなどに起因する情報漏洩を防止すること。【解決手段】管理サーバ２００が、ゲート１０，２０を制御して、事務所から持ち出される、あるいは持ち込まれる携帯端末装置１００ａに内蔵されたＩＣタグに退室日時あるいは入室日時を書き込み、携帯端末装置１００ａは、自装置を起動する場合に、ＩＣタグに記録された退室／入室日時管理テーブルを読み出し、この退室／入室日時管理テーブルに記録された退室日時および入室日時を基にして、携帯端末装置１００ａの起動を制御する。【選択図】        図１
2007265192.tif 000002
【特許請求の範囲】
【請求項１】
端末装置の起動を制御する起動制御プログラムであって、
端末装置に取り付けられ、当該端末装置が所定の場所から持ち出された持ち出し日時と所定の場所に前記端末装置が持ち込まれた持ち込み日時とを保持したＩＣタグから、前記持ち出し日時および持ち込み日時を取得する日時取得手順と、
前記日時取得手順によって取得された持ち出し日時および持ち込み日時を基にして、前記端末装置が所定の場所から持ち出されてから所定時間経過し、かつ、所定の場所に前記端末装置が持ち込まれていない場合に、当該端末装置が起動しないように制御する起動制御手順と、
をコンピュータに実行させることを特徴とする起動制御プログラム。
【請求項２】
前記日時取得手順によって取得された持ち出し日時から所定時間経過した場合に、前記端末装置に電源を供給する電源供給装置を制御して、当該端末装置に供給される電源を切断する電源切断手順を更にコンピュータに実行させることを特徴とする請求項１に記載の起動制御プログラム。
【請求項３】
端末装置を管理する管理サーバによって、前記端末装置に取り付けられたＩＣタグに情報を書き込み、当該端末装置の起動を制御する起動制御システムであって、
前記管理サーバは、
前記端末装置が所定の場所から持ち出された持ち出し日時と前記端末装置が所定の場所に持ち込まれた持ち込み日時とを判定し、判定した前記持ち出し日時および持ち込み日時を前記ＩＣタグに記録する記録手段
を備え、
前記端末装置は、
前記ＩＣタグに記録された持ち出し日時および持ち込み日時を取得する日時取得手段と、
前記日時取得手段によって取得された持ち出し日時および持ち込み日時を基にして、自装置が所定の場所から持ち出されてから所定時間経過し、かつ、所定の場所に自装置が持ち込まれていない場合に、自装置が起動しないように制御する起動制御手段と、
を備えたことを特徴とする起動制御システム。
【請求項４】
前記端末装置は、前記日時取得手段によって取得された持ち出し日時から所定時間経過した場合に、自装置の電源を切断する電源切断手段を更に備えたことを特徴とする請求項３に記載の起動制御システム。
【請求項５】
前記ＩＣタグは、前記端末装置の利用者と当該端末装置にサービスを行うサービス提供者との間で交わされた契約にかかる有効期限の情報を保持し、前記管理サーバは、前記有効期限の情報を取得し、当該有効期限までの日数が所定日数以下となった場合に、前記端末装置に契約が終了する旨の情報を出力する期限情報出力手段を更に備えたことを特徴とする請求項３または４に記載の起動制御システム。
【発明の詳細な説明】
【技術分野】
【０００１】
この発明は、端末装置の起動を制御する起動制御プログラムなどに関し、特に、利用者に負担をかけることなく、端末装置の置き忘れなどに起因する情報漏洩を防止可能な起動制御プログラムおよび起動制御システムに関するものである。
【背景技術】
【０００２】
近年、企業では、社員に貸し出した端末装置（例えばノートパソコンなど）の利用状況を確認すべく、端末装置が社外へ持ち出されたか否かをチェックするシステムが提案されている。具体的に、このシステムでは、端末装置にＩＣ（Integrated Circuit）タグを内蔵させ、このＩＣタグに端末装置を識別する識別情報を予め書き込んでおき、事務所の出入口に設置されたゲートによってＩＣタグに記録された識別情報を読み取ることによって、社外に持ち出された端末装置をチェックしている。
【０００３】
なお、特許文献１では、物品の不正持ち出しを防止するために、物品に取り付けられ、物品の情報を保持するＩＣタグと、個人認証情報を保持するＩＤ（Identification）カードから物品の情報および個人認証情報を読み出して、物品の不正持ち出しを検出するという技術が公開されている。
【０００４】
【特許文献１】特開２００５−２１６０５９号公報
【発明の開示】
【発明が解決しようとする課題】
【０００５】
しかしながら、上述した従来の技術では、単に端末装置が持ち出されたことを管理するのみで、持ち出した利用者が端末装置を置き去りにした場合、その端末装置の利用者を特定できても、悪意のある第三者によって端末装置に記録されたデータを不正に読み出されてしまうという問題があった。
【０００６】
また、特許文献１のように物品（例えば端末装置）の不正持ち出しを防止する場合であっても、利用者が正当な方法で端末装置を持ち出し、持ち出した端末装置を置き忘れてしまう場合がある。
【０００７】
不正読み出しに対する防止策としてＢＩＯＳ（Basic Input/Output System）パスワードなどが考えられるが、共用の端末装置の場合は、利用者に予めＢＩＯＳパスワードを伝えておく必要があり、かつ、滅多に端末装置を利用しない利用者にとっては大変面倒である。
【０００８】
すなわち、利用者に負担をかけることなく、端末装置の置き忘れなどに起因する情報漏洩を防止することが極めて重要な課題となっている。
【０００９】
この発明は、上述した従来技術による問題点を解消するためになされたものであり、利用者に負担をかけることなく、端末装置の置き忘れなどに起因する情報漏洩を防止することができる起動制御プログラムおよび起動制御システムを提供することを目的とする。
【課題を解決するための手段】
【００１０】
上述した課題を解決し、目的を達成するため、本発明は、端末装置の起動を制御する起動制御プログラムであって、端末装置に取り付けられ、当該端末装置が所定の場所から持ち出された持ち出し日時と所定の場所に前記端末装置が持ち込まれた持ち込み日時とを保持したＩＣタグから、前記持ち出し日時および持ち込み日時を取得する日時取得手順と、前記日時取得手順によって取得された持ち出し日時および持ち込み日時を基にして、前記端末装置が所定の場所から持ち出されてから所定時間経過し、かつ、所定の場所に前記端末装置が持ち込まれていない場合に、当該端末装置が起動しないように制御する起動制御手順とをコンピュータに実行させることを特徴とする。
【００１１】
また、本発明は、上記発明において、前記日時取得手順によって取得された持ち出し日時から所定時間経過した場合に、前記端末装置に電源を供給する電源供給装置を制御して、当該端末装置に供給される電源を切断する電源切断手順を更にコンピュータに実行させることを特徴とする。
【００１２】
また、本発明は、端末装置を管理する管理サーバによって、前記端末装置に取り付けられたＩＣタグに情報を書き込み、当該端末装置の起動を制御する起動制御システムであって、前記管理サーバは、前記端末装置が所定の場所から持ち出された持ち出し日時と前記端末装置が所定の場所に持ち込まれた持ち込み日時とを判定し、判定した前記持ち出し日時および持ち込み日時を前記ＩＣタグに記録する記録手段を備え、前記端末装置は、前記ＩＣタグに記録された持ち出し日時および持ち込み日時を取得する日時取得手段と、前記日時取得手段によって取得された持ち出し日時および持ち込み日時を基にして、自装置が所定の場所から持ち出されてから所定時間経過し、かつ、所定の場所に自装置が持ち込まれていない場合に、自装置が起動しないように制御する起動制御手段とを備えたことを特徴とする。
【００１３】
また、本発明は、上記発明において、前記端末装置は、前記日時取得手段によって取得された持ち出し日時から所定時間経過した場合に、自装置の電源を切断する電源切断手段を更に備えたことを特徴とする。
【００１４】
また、本発明は、上記発明において、前記ＩＣタグは、前記端末装置の利用者と当該端末装置にサービスを行うサービス提供者との間で交わされた契約にかかる有効期限の情報を保持し、前記管理サーバは、前記有効期限の情報を取得し、当該有効期限までの日数が所定日数以下となった場合に、前記端末装置に契約が終了する旨の情報を出力する期限情報出力手段を更に備えたことを特徴とする。
【発明の効果】
【００１５】
本発明によれば、端末装置に取り付けられ、この端末装置が所定の場所から持ち出された持ち出し日時と端末装置が所定の場所に持ち込まれた持ち込み日時とをＩＣタグから持ち出し日時および持ち込み日時とを取得し、取得した持ち出し日時および持ち込み日時を基にして、端末装置が所定の場所から持ち出されてから所定時間経過し、かつ、所定の場所に端末装置が持ち込まれていない場合に、端末装置が起動しないように制御するので、端末装置の置き忘れに起因する情報漏洩を防止することができる。
【００１６】
また、本発明によれば、持ち出し日時から所定時間経過した場合に、端末装置に供給される電源を切断するので、利用者が電源をつけたまま端末装置を置き忘れてしまった場合でも、端末装置に記録された情報が漏洩してしまうことを防止することができる。
【００１７】
また、本発明によれば、ＩＣタグは、端末装置の利用者と端末装置にサービスを行うサービス提供者との間で交わされた契約にかかる有効期限の情報を保持し、管理サーバは、この有効期限の情報を取得し、この有効期限までの日数が所定日数以下となった場合に、端末装置に契約が終了する旨の情報を出力するので、利用者に保守満了日が近くなった旨を効率よく通知することができる。
【発明を実施するための最良の形態】
【００１８】
以下に添付図面を参照して、この発明に係る起動制御プログラムおよび起動制御システムの好適な実施の形態を詳細に説明する。
【実施例】
【００１９】
まず、本発明の概要および特徴について説明する。図１は、本発明の概要および特徴を説明するための説明図である。同図に示すように、本発明にかかるシステムは、ノートパソコンなどの携帯端末装置１００ａ〜１００ｄにＩＣタグが取り付けられており、このＩＣタグに対するデータの読み込みあるいは書き込みを行うゲート１０，２０は、携帯端末装置１００ａ〜１００ｄを管理する管理サーバ２００によって通信制御される。
【００２０】
そして、例えば、携帯端末装置１００ａが、所定の場所（例えば、事務所Ａ）から利用者によって持ち出された場合には、管理サーバ２００はゲート１０を制御して、携帯端末装置１００ａが持ち出された日時の情報（以下、退室日時と表記する）を携帯端末装置１００ａのＩＣタグに書き込み、携帯端末装置１００ａが所定の場所（例えば、事務者Ｂ）に持ち込まれた場合には、管理サーバ２００は、ゲート２０を制御して、携帯端末装置１００ａが持ち込まれた日時の情報（以下、入室日時と表記する）を携帯端末装置１００ａのＩＣタグに書き込む。
【００２１】
そして、利用者が携帯端末装置１００ａを起動させた場合に、携帯端末装置１００ａは、ＩＣタグから退室日時および入室日時を読み出し、読み出した退室日時および入室日時を基にして、自装置を起動させるか否かを判定し、自装置を起動させないと判定した場合には、自装置を起動させないようにする。
【００２２】
具体的に携帯端末装置１００ａは、ＩＣタグに記録された退室日時および入室日時を読み出した場合に、退室日時から所定時間経過し、かつ、この退室日時に対応する入室日時が存在しない場合（すなわち、携帯端末装置１００ａが事務所Ａから持ち出されて所定時間経過したにもかかわらず、この携帯端末装置１００ａが、事務所Ａあるいは事務所Ｂに持ち込まれていない場合）には、自装置（携帯端末装置１００ａ）が利用者によって置き忘れたものと判定し、自装置を起動させないようにする。
【００２３】
このように、本発明では、携帯端末装置が、自装置に取り付けられたＩＣタグから退室日時および入室日時を取得して、自装置を起動させるか否かを判定し、自装置の起動を制限するので、携帯端末装置１００ａを利用者が置き忘れてしまった場合でも、情報漏洩の問題を解決することができる。
【００２４】
次に、本実施例にかかる携帯端末装置１００ａ〜１００ｄの構成について説明する。なお、携帯端末装置１００ａ〜１００ｄは、同一の構成であるので、ここでは、携帯端末装置１００ａの構成についてのみ説明し、携帯端末装置１００ｂ〜１００ｄの説明を省略する。図２は、携帯端末装置１００ａの構成を示す機能ブロック図である。同図に示すように、この携帯端末装置１００ａは、ＩＣタグ１１０を内蔵し、入力部１２０と、出力部１３０と、ＩＣタグリーダ１４０と、入出力制御ＩＦ部１５０と、通信制御ＩＦ部１６０と、制御部１７０とを備えて構成される。
【００２５】
ＩＣタグ１１０は、携帯端末装置１００ａを起動させるか否かの判定基準となる情報等を記憶する記憶装置である。具体的に、このＩＣタグ１１０は、退室／入室日時管理テーブル１１０ａと、保守情報管理テーブル１１０ｂと、警告情報１１０ｃとを備える。
【００２６】
退室／入室日時管理テーブル１１０ａは、携帯端末装置１００ａに対する退室日時および入室日時を記録するテーブルである。図３は、退室／入室日時管理テーブル１１０ａのデータ構造の一例を示す図である。同図に示すように、この退室／入室日時管理テーブル１１０ａは、「退室日時」、退室した事務所を識別する「退室事務所識別情報」、「入室日時」、入室した事務所を識別する「入室事務所識別情報」とからなる。
【００２７】
例えば、図３の一段目では、携帯端末装置１００ａは、２００６年３月１日１２時３０分に事務所Ａを退室し、２００６年３月１日１５時３０分に事務所Ｂに入室した旨の情報が記録されている。また、図３の３段目では、携帯端末装置１００ａは、２００６年３月４日１１時１０分に事務所Ｂを退室し、まだいずれの事務所にも入室していない旨の情報が記録されている。本発明では、図３の３段目に示す状態が所定時間以上続いた場合に、携帯端末装置１００ａの起動が抑制される。
【００２８】
保守情報管理テーブル１１０ｂは、営業担当者と携帯端末装置１００ａの利用者（あるいは、携帯端末装置１００ａを管理する企業）との間で結ばれた保守契約の期限にかかる情報を記憶するテーブルである。図４は、保守情報管理テーブル１１０ｂのデータ構造の一例を示す図である。同図に示すように、この保守情報管理テーブル１１０ｂは、携帯端末装置１００ａを識別する「端末識別番号」と、「保守委託開始日」と、「保守委託終了日」と、携帯端末装置１００ａを製造した「製造年月日」とからなる。この保守情報管理テーブル１１０ｂは、例えば、携帯端末装置１００ａの工場出荷時などに書き込まれる。
【００２９】
警告情報１１０ｃは、ウイルスチェックが必要か否かの情報、ＯＳ（Operating System）アップデートが必要か否かの情報あるいはバックアップが必要か否かの情報を保持する。
【００３０】
図２の説明にもどると、入力部１２０は、各種情報を入力する入力手段であり、キーボードやマウス、マイクなどによって構成される。なお、後述するモニタ（出力部１３０）も、マウスと協働してポインティングディバイス機能を実現する。
【００３１】
出力部１３０は、各種の情報を出力する出力手段であり、モニタ（若しくはディスプレイ、タッチパネル）やスピーカなどによって構成される。ＩＣタグリーダ１４０は、ＩＣタグ１１０に記録された各情報を読み取る手段である。そして、入出力制御部１５０は、これら入力部１２０および出力部１３０によるデータの入出力を制御する手段であり、通信制御ＩＦ部１６０は、ネットワークを介して、管理サーバ２００との間における通信を制御する手段である。
【００３２】
制御部１７０は、各種の処理手順を規定したプログラムや制御データを格納するための内部メモリを有し、これらによって種種の処理を実行する制御手段であり、特に本発明に密接に関連するものとしては、図２に示すように、電源切断実行部１７０ａと、起動制御部１７０ｂと、ウイルスチェック／ＯＳアップデート実行部１７０ｃと、バックアップ実行部１７０ｄとを備える。
【００３３】
電源切断実行部１７０ａは、ＩＣタグ１１０に記録された退室／入室日時管理テーブル１１０ａを読み出し（ＩＣタグリーダ１４０を用いて読み出し）、退室日時から所定時間以上経過した場合に、携帯端末装置１００ａに電源を供給する電源装置（図示しない）を制御して、電源供給を切断する処理部である。
【００３４】
起動制御部１７０は、携帯端末装置１００ａが起動する際に、ＩＣタグ１１０に記録された退室／入室日時管理テーブル１１０ａを読み出し（ＩＣタグリーダ１４０を用いて読み出し）、退室日時から所定時間経過し、かつ、退室日時に対応する入室日時が記録されていない場合に、携帯端末装置１００ａが起動しないように制御する処理部である。
【００３５】
図３を用いて、起動制御部１７０の処理を説明すると、退室／入室管理テーブル１１０ａの一段目、二段目では、退室日時に対応する入室日時が記憶されている（携帯端末装置１００ａは事務所から持ち出された後に、事務所に持ち込まれている；すなわち、利用者は携帯端末装置１００ａを置き忘れていない）ので、この場合には、起動制御部１７０ｂは、携帯端末装置１００ａの起動を許可する。
【００３６】
一方、退室／入室管理テーブル１１０ａの三段目のような情報が記録されている場合、すなわち、退室日時に対応する入室日時が記憶されておらず、かつ、退室日時から所定時間以上経過した場合には、起動制御部１７０は、利用者が携帯端末装置１００ａを置き忘れたと判定し、携帯端末装置１００ａが起動しないように制御する。
【００３７】
このように、利用者が携帯端末装置１００ａを社外に持ち出し、持ち出した携帯端末装置１００ａを置き忘れてしまった場合でも、この起動制御部１７０は、携帯端末装置１００ａが起動しないように制御するので、悪意のある第三者によって、携帯端末装置１００ａに記憶されたデータが読み取られてしまうといった問題を解消することができる。
【００３８】
ウイルスチェック／ＯＳアップデート実行部１７０ｃは、ＩＣタグ１１０に記録された警告情報１１０ｃを読み出し（ＩＣタグリーダ１４０を用いて読み出し）、警告情報１１０ｃにウイルスチェックが必要である旨の情報が含まれている場合に、携帯端末装置１００ａに記録されたデータのウイルスチェックを実行し、ＯＳアップデートが必要である旨の情報が含まれている場合には、携帯端末装置１００ａにインストールされたＯＳのアップデートを実行する処理部である。
【００３９】
また、ウイルスチェック／ＯＳアップデート実行部１７０ｃは、ウイルスチェックを行った場合には、ウイルスチェックを行った日時および携帯端末装置１００ａを識別する情報を管理サーバ２００に送信し、ＯＳアップデートを行った場合には、ＯＳアップデートを行った日時および携帯端末装置１００ａを識別する情報を管理サーバ２００に送信する。
【００４０】
バックアップ実行部１７０ｄは、ＩＣタグ１１０に記録された警告情報１１０ｃを読み出し（ＩＣタグリーダ１４０を用いて読み出し）、警告情報１１０ｃにバックアップが必要である旨の情報が含まれている場合に、携帯端末装置１００ａに記憶されたデータのバックアップを行う処理部である。
【００４１】
また、バックアップ実行部１７０ｄは、データのバックアップが完了した場合には、バックアップが完了した日時および携帯端末装置１００ａを識別する情報を管理サーバ２００に送信する。
【００４２】
次に、管理サーバ２００の構成について説明する。図５は、管理サーバ２００の構成を示す機能ブロック図である。同図に示すように、この管理サーバ２００は、入力部２１０と、出力部２２０と、入出力制御ＩＦ部２３０と、通信制御ＩＦ部２４０と、記憶部２４０と、制御部２５０とを備えて構成される。
【００４３】
入力部２１０は、各種の情報を入力する入力手段であり、キーボードやマウス、マイクなどによって構成される。なお、後述するモニタ（出力部２２０）も、マウスと協働してポインティングディバイス機能を実現する。
【００４４】
出力部２２０は、各種の情報を出力する出力手段であり、モニタ（若しくはディスプレイ、タッチパネル）やスピーカなどによって構成される。そして、入出力制御部２３０は、これら入力部２１０および出力部１３０によるデータの入出力を制御する手段であり、通信制御ＩＦ部２４０は、ネットワークを介して、携帯端末装置１００ａ〜１００ｄとの間における通信を制御する手段である。
【００４５】
記憶部２４０は、制御部２５０による各種処理に必要なデータおよびプログラムを記憶する記憶手段であり、特に、本発明に密接に関連するものとしては、図５に示すように、ウイルスチェック管理テーブル２４０ａおよびＯＳアップデート管理テーブル２４０ｂを備える。
【００４６】
ウイルスチェック管理テーブル２４０ａは、各携帯端末装置に対するウイルスチェック状況を管理するための情報を記憶するテーブルである。図６は、ウイルスチェック管理テーブルのデータ構造の一例を示す図である。同図に示すように、このウイルスチェック管理テーブル２４０ａは、携帯端末装置を識別する「端末識別番号」と、ウイルスチェックを最後に実行した日時を示す「ウイルスチェック最終実行日」と、ウイルスチェックを新たに実行する必要があるか否かを示す「実行フラグ」とからなる。なお、実行フラグが「○」の場合は、ウイルスチェックを行う必要がある旨を示し、実行フラグが「×」の場合は、ウイルスチェックを行う必要がない旨を示す。
【００４７】
ＯＳアップデート管理テーブル２４０ｂは、各携帯端末装置がＯＳアップデート状況を管理するための情報を記憶するテーブルである。図７は、ＯＳアップデート管理テーブル２４０ｂのデータ構図の一例を示す図である。同図に示すように、このＯＳアップデート管理テーブル２４０ｂは、携帯端末装置を識別する「端末識別番号」と、ＯＳアップデートを最後に実行した日時を示す「ＯＳアップデート最終日時」と、ＯＳアップデートを新たに実行する必要があるか否かを示す「実行フラグ」とからなる。なお、実行フラグが「○」の場合は、ＯＳアップデートを行う必要がある旨を示し、実行フラグが「×」の場合は、ＯＳアップデートを行う必要がない旨を示す。
【００４８】
制御部２５０は、各種の処理手順を規定したプログラムや制御データを格納するための内部メモリを有し、これらによって種種の処理を実行する制御手段であり、特に本発明に密接に関連するものとしては、図５に示すように、退室／入室日時管理部２５０ａと、保守期限管理部２５０ｂと、ウイルスチェック／ＯＳアップデート管理部２５０ｃと、警告情報書込部２５０ｄとを備える。
【００４９】
退室／入室日時管理部２５０ａは、ゲート１０あるいはゲート２０（図１参照）を制御して、事務所Ａあるいは事務所Ｂから持ち出される（ゲート１０あるいはゲート２０の周辺を通過する）携帯端末装置１００ａ〜１００ｄのＩＣタグに退室日時を書き込むと共に、事務所Ａあるいは事務所Ｂに持ち込まれる（ゲート１０あるいはゲート２０の周辺を通過する）携帯端末装置１００ａ〜１００ｄのＩＣタグに入室日時を書き込む処理部である。
【００５０】
保守期限管理部２５０ｂは、ゲート１０あるいはゲート２０（図１参照）を制御して、ゲート１０あるいはゲート２０の周辺を通過する携帯端末装置１００ａ〜１００ｄのＩＣタグから保守情報管理テーブル１１０ｂを読み出し、保守委託終了日まで所定日数をきっている場合に、ゲート１０あるいはゲート２０から警告音を出力させる処理部である。すなわち、保守期限管理部２５０ｂは、携帯端末装置１００ａがゲート１０を通過する場合に、携帯端末装置１００ａのＩＣタグから保守情報管理テーブル１１０ｂを読み出す。そして、保守期限管理部２５０ｂは、保守情報管理テーブル１１０ｂの保守委託終了日を基にして、保守委託終了まで所定日数をきっていると判定した場合には、ゲート１０（あるいはゲート２０）から警告音を出力させる。
【００５１】
ウイルスチェック／ＯＳアップデート管理部２５０ｃは、ウイルスチェック管理テーブル２４０ａおよびＯＳアップデータ管理テーブル２４０ｂを読み出して、携帯端末装置１００ａ〜１００ｂがウイルスチェックあるいはＯＳのアップデートが必要か否かを判定する処理部である。
【００５２】
具体的に、ウイルスチェック／ＯＳアップデート管理部２５０ｃは、ウイルスチェック管理テーブル２４０ａのウイルスチェック最終実行日時を参照し、この日時が現在日時から所定日時以前である場合には、実行フラグを「○」にする。なお、ウイルスチェック／ＯＳアップデート管理部２５０ｃは、ウイルスチェック最終実行日時が現在日時から所定日時以前でない場合であっても、ウイルスチェック最終実行日時から現在日時までの間に、ウイルス定義が更新された場合には、同様に実行フラグを「○」としてもよい。
【００５３】
また、ウイルスチェック／ＯＳアップデート管理部２５０ｃは、ＯＳアップデート管理テーブル２４０ｂのＯＳアップデート最終実行日時を参照し、この日時が現在日時から所定日時以前である場合には、実行フラグを「○」にする。なお、ウイルスチェック／ＯＳアップデート管理部２５０ｃは、ＯＳアップデート最終実行日時が現在日時から所定日時以前でない場合であっても、ＯＳアップデート最終実行日時から現在日時までの間に、ＯＳに対するパッチ等がリリースされた場合には、同様に実行フラグを「○」としてもよい。
【００５４】
警告情報書込部２５０ｄは、ゲート１０あるいはゲート２０（図１参照）を制御して、ゲート１０あるいはゲート２０の周辺を通過する携帯端末装置１００ａ〜１００ｄのＩＣタグから保守情報管理テーブル１１０ｂを読み出し、保守情報管理テーブル１１０ｂに記録された端末識別番号と、ウイルスチェック管理テーブル２４０ａと、ＯＳアップデート管理テーブル２４０ｂとを基にして、ＩＣタグに警告情報１１０ｃを書き込む処理部である。
【００５５】
具体的に、警告情報書込部２５０ｄは、読み出した端末識別番号に対応するウイルスチェック管理テーブル２４０ａの実行フラグが「○」になっている場合には、ウイルスチェックが必要である旨の警告情報１１０ｃをＩＣタグ１１０に書き込む。また、端末識別番号に対応するＯＳアップデート管理テーブル２４０ｂの実行フラグが「○」になっている場合には、ＯＳアップデートが必要である旨の警告情報１１０ｃをＩＣタグ１１０に書き込む。
【００５６】
更に、警告情報書込部２５０ｄは、携帯端末装置１００ａのＩＣタグ１１０から保守情報管理テーブル１１０ｂの製造年月日を読取り、この製造年月日から現在日時まで所定日数以上経過している場合には、バックアップが必要である旨の警告情報１１０ｃをＩＣタグ１１０に書き込む。
【００５７】
次に、携帯端末装置１００ａの処理について説明する。図８は、携帯端末装置の処理を示すフローチャートである。同図に示すように、携帯端末装置１００ａが起動された場合に（ステップＳ１０１）、起動制御部１７０ｂが退室／入室日時管理テーブル１１０ａをＩＣタグ１１０から読み出し（ステップＳ１０２）、退室日時から所定日時以上経過し、かつ、退室日時に対応する入室日時が存在しないか否かを判定する（ステップＳ１０３）。
【００５８】
退室日時から所定日時以上経過し、かつ、退室日時に対応する入室日時が存在しない場合には（ステップＳ１０４，Ｙｅｓ）、起動制御部１７０ｂは、携帯端末装置１００ａの起動を中止し（ステップＳ１０５）、処理を終了する。
【００５９】
一方、退室日時から所定日時以上経過していない、あるいは、退室日時に対応する入室日時が存在する場合には（ステップＳ１０４，Ｎｏ）、ウイルスチェック／ＯＳアップデート実行部１７０ｃが、警告情報１１０ｃを読み出してウイルスチェックが必要か否かを判定し（ステップＳ１０６）、ウイルスチェックが必要である場合には（ステップＳ１０７，Ｙｅｓ）、ウイルスチェックを実行し（ステップＳ１０８）、ステップＳ１０９に移行する。
【００６０】
ところで、ウイルスチェックが必要ない場合には（ステップＳ１０７，Ｎｏ）、ウイルスチェック／ＯＳアップデート実行部１７０ｃは、ＯＳアップデートが必要か否かを判定し（ステップＳ１０９）、ＯＳアップデートが必要である場合には（ステップＳ１１０，Ｙｅｓ）、ＯＳアップデートを実行し（ステップＳ１１１）、ステップＳ１１２に移行する。
【００６１】
一方、ＯＳアップデートが必要でない場合には（ステップＳ１１０，Ｎｏ）、バックアップ実行部１７０ｄが、バックアップが必要か否かを判定し（ステップＳ１１２）、バックアップが必要である場合には（ステップＳ１１３，Ｙｅｓ）、バックアップを実行し（ステップＳ１１４）、ステップＳ１１５に移行する。
【００６２】
バックアップが必要でない場合には（ステップＳ１１３，Ｎｏ）、携帯端末装置１００ａき記録されたその他のプログラムにかかる各種処理を実行し（ステップＳ１１５）、処理を継続する場合には（ステップＳ１１６，Ｙｅｓ）、ステップＳ１１５に移行し、処理を継続しない場合には（ステップＳ１１６，Ｎｏ）、処理を終了する。
【００６３】
このように、携帯端末装置１００ａは、起動制御部１７０ｂが退室／入室日時管理テーブル１１０ｂを取得し、取得した退室／入室日時管理テーブル１１０ｂを基にして携帯端末装置１００ａの起動を制限するので、悪意のある第三者による携帯端末装置１００ａの起動を防止することができる。
【００６４】
上述してきたように、本実施例では、管理サーバ２００が、ゲート１０，２０を制御して、事務所から持ち出される、あるいは持ち込まれる携帯端末装置１００ａに内蔵されたＩＣタグ１１０に退室日時あるいは入室日時を書き込み、携帯端末装置１００ａは、自装置を起動する場合に、ＩＣタグ１１０に記録された退室／入室日時管理テーブル１１０ａを読み出し、この退室／入室日時管理テーブル１１０ａに記録された退室日時および入室日時を基にして、携帯端末装置１００ａの起動を制御するので、利用者の置き忘れに起因する情報漏洩の問題を解決することができる。
【００６５】
また、本実施例によれば、電源切断実行部１７０ａによって、退室日時から所定時間経過後に携帯端末装置１００ａの電源が切断されるので、利用者が電源をつけたまま携帯端末装置１００ａを置き忘れてしまった場合でも、起動制限部１７０ｂと協働して携帯端末装置１００ａの情報漏洩を防止することができる。
【００６６】
また、本実施例によれば、ウイルスチェック／ＯＳアップデート管理部２５０ｃが、ウイルスチェック管理テーブル２４０ａおよびＯＳアップデート管理テーブル２４０ｃを基にして、ウイルスチェックあるいはＯＳのアップデートが必要であるか否かを判定するので、携帯端末装置１００ａにかかるセキュリティを向上させることができる。
【００６７】
また、本実施例によれば、保守期間管理部２５０ｂが、携帯端末装置１００ａのＩＣタグ１１０に記録された保守管理テーブル１１０ｂを読み出し、保守委託終了日を基にして、保守委託終了まで所定日数をきっている場合に、ゲートから警告音を出力させるので、利用者に保守満了日が近くなった旨を効率よく通知することができる。
【００６８】
また、本実施例によれば、警告情報書込部２５０ｄが、携帯端末装置１００ａの製造年月日から所定日時経過した場合に、バックアップの実行要求を携帯端末装置１００ａに出力するので、携帯端末装置１００ａに記録されたデータの安全性を向上させることができる。
【００６９】
ところで、上記実施例で説明した各種の処理は、あらかじめ用意されたプログラムをコンピュータで実行することによって実現することができる。そこで、以下では、図９を用いて、上記各種処理を実現するプログラムを実行するコンピュータの一例について説明する。
【００７０】
図９は、図２に示した携帯端末装置１００ａ、図５に示した管理サーバなどの各装置を構成するコンピュータのハードウェア構成を示す図である。
【００７１】
このコンピュータは、ユーザからのデータの入力を受け付ける入力装置３０、モニタ３１、ＲＡＭ（Random  Access  Memory）３２、ＲＯＭ（Read  Only  Memory）３３、各種プログラムを記録した記録媒体からプログラムを読み取る媒体読取装置３４、ネットワークを介して他のコンピュータとの間でデータの授受をおこなうネットワークインターフェース３５、ＣＰＵ（Central  Processing  Unit）３６、および、ＨＤＤ（Hard  Disk  Drive）３７をバス３８で接続して構成される。
【００７２】
そして、ＨＤＤ３７には、上述した各装置の機能と同様の機能を発揮する各種プログラム３７ｂが記憶されている。そして、ＣＰＵ３６が、各種プログラム３７ｂをＨＤＤ３７から読み出して実行することにより、上述した各装置の機能部の機能を実現する各種プロセス３６ａが起動される。
【００７３】
また、ＨＤＤ３７には、上述した各装置の記憶手段（格納手段）に記憶されるデータに対応する各種データ３７ａが記憶される。ＣＰＵ３６は、各種データ３７ａをＨＤＤ３７に記憶するとともに、各種データ３７ａをＨＤＤ３７から読み出してＲＡＭ３２に格納し、ＲＡＭ３２に格納された各種データ３２ａに基づいてデータ処理を実行する。
【００７４】
ところで、各種プログラム３７ｂは、必ずしも最初からＨＤＤ３７に記憶させておく必要はない。たとえば、コンピュータに挿入されるフレキシブルディスク（ＦＤ）、ＣＤ−ＲＯＭ、ＤＶＤディスク、光磁気ディスク、ＩＣカードなどの「可搬用の物理媒体」、または、コンピュータの内外に備えられるハードディスクドライブ（ＨＤＤ）などの「固定用の物理媒体」、さらには、公衆回線、インターネット、ＬＡＮ、ＷＡＮなどを介してコンピュータに接続される「他のコンピュータ（またはサーバ）」などに各種プログラム３７ｂを記憶しておき、コンピュータがこれらから各種プログラム３７ｂを読み出して実行するようにしてもよい。
【００７５】
さて、これまで本発明の実施例について説明したが、本発明は上述した実施例以外にも、特許請求の範囲に記載した技術的思想の範囲内において種々の異なる実施例にて実施されてもよいものである。
【００７６】
また、本実施例において説明した各処理のうち、自動的におこなわれるものとして説明した処理の全部または一部を手動的におこなうこともでき、あるいは、手動的におこなわれるものとして説明した処理の全部または一部を公知の方法で自動的におこなうこともできる。
【００７７】
この他、上記文書中や図面中で示した処理手順、制御手順、具体的名称、各種のデータやパラメータを含む情報については、特記する場合を除いて任意に変更することができる。
【００７８】
また、図示した各装置の各構成要素は機能概念的なものであり、必ずしも物理的に図示のように構成されていることを要しない。すなわち、各装置の分散・統合の具体的形態は図示のものに限られず、その全部または一部を、各種の負荷や使用状況などに応じて、任意の単位で機能的または物理的に分散・統合して構成することができる。
【００７９】
さらに、各装置にて行なわれる各処理機能は、その全部または任意の一部が、ＣＰＵおよび当該ＣＰＵにて解析実行されるプログラムにて実現され、あるいは、ワイヤードロジックによるハードウェアとして実現され得る。
【００８０】
（付記１）端末装置の起動を制御する起動制御プログラムであって、
端末装置に取り付けられ、当該端末装置が所定の場所から持ち出された持ち出し日時と所定の場所に前記端末装置が持ち込まれた持ち込み日時とを保持したＩＣタグから、前記持ち出し日時および持ち込み日時を取得する日時取得手順と、
前記日時取得手順によって取得された持ち出し日時および持ち込み日時を基にして、前記端末装置が所定の場所から持ち出されてから所定時間経過し、かつ、所定の場所に前記端末装置が持ち込まれていない場合に、当該端末装置が起動しないように制御する起動制御手順と、
をコンピュータに実行させることを特徴とする起動制御プログラム。
【００８１】
（付記２）前記日時取得手順によって取得された持ち出し日時から所定時間経過した場合に、前記端末装置に電源を供給する電源供給装置を制御して、当該端末装置に供給される電源を切断する電源切断手順を更にコンピュータに実行させることを特徴とする付記１に記載の起動制御プログラム。
【００８２】
（付記３）端末装置を管理する管理サーバによって、前記端末装置に取り付けられたＩＣタグに情報を書き込み、当該端末装置の起動を制御する起動制御システムであって、
前記管理サーバは、
前記端末装置が所定の場所から持ち出された持ち出し日時と前記端末装置が所定の場所に持ち込まれた持ち込み日時とを判定し、判定した前記持ち出し日時および持ち込み日時を前記ＩＣタグに記録する記録手段
を備え、
前記端末装置は、
前記ＩＣタグに記録された持ち出し日時および持ち込み日時を取得する日時取得手段と、
前記日時取得手段によって取得された持ち出し日時および持ち込み日時を基にして、自装置が所定の場所から持ち出されてから所定時間経過し、かつ、所定の場所に自装置が持ち込まれていない場合に、自装置が起動しないように制御する起動制御手段と、
を備えたことを特徴とする起動制御システム。
【００８３】
（付記４）前記端末装置は、前記日時取得手段によって取得された持ち出し日時から所定時間経過した場合に、自装置の電源を切断する電源切断手段を更に備えたことを特徴とする付記３に記載の起動制御システム。
【００８４】
（付記５）前記ＩＣタグは、前記端末装置の利用者と当該端末装置にサービスを行うサービス提供者との間で交わされた契約にかかる有効期限の情報を保持し、前記管理サーバは、前記有効期限の情報を取得し、当該有効期限までの日数が所定日数以下となった場合に、前記端末装置に契約が終了する旨の情報を出力する期限情報出力手段を更に備えたことを特徴とする付記３または４に記載の起動制御システム。
【００８５】
（付記６）前記管理サーバは、前記端末装置によるＯＳのアップデートおよびウイルスチェックの実行状況を記録する実行状況記録手段と、当該実行状況を基にして、ＯＳのアップデートおよび／またはウイルスチェックの実行要求を前記端末装置に行うか否かを判定する判定手段とを更に備えたことを特徴とする付記３、４または５に記載の起動制御システム。
【００８６】
（付記７）前記ＩＣタグは、前記端末装置に対する製造日時の情報を保持し、前記管理サーバは、前記製造日時の情報を取得し、当該製造日時から所定の日時以上経過している場合に、前記端末装置にデータのバックアップを要求するバックアップ要求手段を更に備えたことを特徴とする付記３〜６のいずれか一つに記載の起動制御システム。
【００８７】
（付記８）端末装置の起動を制御する起動制御装置であって、
端末装置に取り付けられ、当該端末装置が所定の場所から持ち出された持ち出し日時と所定の場所に前記端末装置が持ち込まれた持ち込み日時とを保持したＩＣタグから、前記持ち出し日時および持ち込み日時を取得する日時取得手段と、
前記日時取得手段によって取得された持ち出し日時および持ち込み日時を基にして、前記端末装置が所定の場所から持ち出されてから所定時間経過し、かつ、所定の場所に前記端末装置が持ち込まれていない場合に、当該端末装置が起動しないように制御する起動制御手段と、
を備えたことを特徴とする起動制御装置。
【００８８】
（付記９）前記日時取得手段によって取得された持ち出し日時から所定時間経過した場合に、当該端末装置に供給される電源を切断する電源切断手段を更に備えたことを特徴とする付記８に記載の起動制御装置。
【００８９】
（付記１０）端末装置の起動を制御する起動制御方法であって、
端末装置に取り付けられ、当該端末装置が所定の場所から持ち出された持ち出し日時と所定の場所に前記端末装置が持ち込まれた持ち込み日時とを保持したＩＣタグから、前記持ち出し日時および持ち込み日時を取得する日時取得工程と、
前記日時取得工程によって取得された持ち出し日時および持ち込み日時を基にして、前記端末装置が所定の場所から持ち出されてから所定時間経過し、かつ、所定の場所に前記端末装置が持ち込まれていない場合に、当該端末装置が起動しないように制御する起動制御工程と、
を含んだことを特徴とする起動制御方法。
【産業上の利用可能性】
【００９０】
以上のように、本発明にかかる起動制御プログラムおよび起動制御システムは、利用者によって持ち出される端末装置に記録されたデータの漏洩を防止するシステムなどに対して有用である。
【図面の簡単な説明】
【００９１】
【図１】本発明の概要および特徴を説明するための説明図である。
【図２】携帯端末装置の構成を示す機能ブロック図である。
【図３】退室／入室日時管理テーブルのデータ構造の一例を示す図である。
【図４】保守情報管理テーブルのデータ構造の一例を示す図である。
【図５】管理サーバの構成を示す機能ブロック図である。
【図６】ウイルスチェック管理テーブルのデータ構造の一例を示す図である。
【図７】ＯＳアップデート管理テーブルのデータ構図の一例を示す図である。
【図８】携帯端末装置の処理を示すフローチャートである。
【図９】図２に示した携帯端末装置、図５に示した管理サーバなどの各装置を構成するコンピュータのハードウェア構成を示す図である。
【符号の説明】
【００９２】
１０，２０    ゲート
３０    入力装置
３１    モニタ
３２    ＲＡＭ
３２ａ，３７ａ  各種データ
３３    ＲＯＭ
３４    媒体読取装置
３５    ネットワークインターフェース
３６    ＣＰＵ
３６ａ  各種プロセス
３７    ＨＤＤ
３７ｂ  各種プログラム
３８    バス
１００ａ，１００ｂ，１００ｃ，１００ｄ    携帯端末装置
１１０    ＩＣタグ
１１０ａ  退室／入室日時管理テーブル
１１０ｂ  保守情報管理テーブル
１１０ｃ  警告情報
１２０，２１０    入力部
１３０，２２０    出力部
１４０    ＩＣタグリーダ
１５０，２３０    入出力制御ＩＦ部
１６０，２４０    通信制御ＩＦ部
１７０，２５０    制御部
１７０ａ  電源切断実行部
１７０ｂ  起動制御部
１７０ｃ  ウイルスチェック／ＯＳアップデート実行部
１７０ｄ  バックアップ実行部
２００    管理サーバ
２４０    記憶部
２４０ａ  ウイルスチェック管理テーブル
２４０ｂ  ＯＳアップデート管理テーブル
２５０ａ  退室／入室日時管理部
２５０ｂ  ウイルスチェック／ＯＳアップデート管理部
２５０ｃ  警告情報書込部２５０ｄ
【図１】
2007265192.tif 000003
【図２】
2007265192.tif 000004
【図３】
2007265192.tif 000005
【図４】
2007265192.tif 000006
【図５】
2007265192.tif 000007
【図６】
2007265192.tif 000008
【図７】
2007265192.tif 000009
【図８】
2007265192.tif 000010
【図９】
2007265192.tif 000011